(57)【要約】【課題】接続端子と固定端子との誤接続が生じにくく、しかも誤接続を生じにくくするための要素を接続端子が有する必要がない接続装置、接続ケーブル及び電力変換装置を提供する。【解決手段】端子台２は、第一固定端子４及び第二固定端子５を有する。第一固定端子４は、第一被結合部１４と第一被識別部１５を有する。第二固定端子５は、第二被結合部１６と第二被識別部１７を有する。第一ケーブル６には、一端に第一接続端子８が電気的に接続され、端部には第一固定部１０が保持されている。第一固定部１０は第一識別部２０及び第一被結合部１４を有する。第一識別部２０は、第一被識別部１５と第二被識別部１７とのうち第一被識別部１５のみと嵌まり合って、第一固定部１０が第一接続端子８を介して第一固定端子４に重ねられかつ第一被結合部１４と第一結合部１８とがねじ締めされることを許可する。【選択図】図１
2018170256.tif 000002
【特許請求の範囲】
【請求項１】
第一固定端子及び第二固定端子を含む二つ以上の固定端子を有する端子台と、第一ケーブル及び第二ケーブルと、前記第一ケーブル及び前記第二ケーブルのそれぞれの一端に電気的に接続された第一接続端子及び第二接続端子と、前記第一ケーブルに保持されている第一固定部と、前記第二ケーブルに保持されている第二固定部とを備え、
前記固定端子は、被結合部と、被識別部とを有し、前記被結合部及び前記被識別部は、それぞれ前記第一固定端子が有する第一被結合部及び第一被識別部を含み、かつ前記被結合部及び前記被識別部は、それぞれ前記第二固定端子が有する第二被結合部及び第二被識別部を含み、
前記第一固定部及び前記第二固定部は、それぞれ第一結合部及び第二結合部を有し、前記被結合部の各々と、前記第一結合部及び前記第二結合部の各々とのうち、一方が雌ねじを有し、他方が前記雌ねじに対応する雄ねじを有し、
前記第一固定部及び前記第二固定部は、それぞれ第一識別部及び第二識別部を有し、
前記第一識別部は、前記第一被識別部と前記第二被識別部とのうち前記第一被識別部のみと嵌まり合って前記第一固定部が前記第一接続端子を介して前記第一固定端子に重ねられかつ前記第一被結合部と前記第一結合部とがねじ締めされることを許可し、前記第二識別部は、前記第一被識別部と前記第二被識別部とのうち前記第二被識別部のみと嵌まり合って前記第二固定部が前記第二接続端子を介して前記第二固定端子に重ねられかつ前記第二被結合部と前記第二結合部とがねじ締めされることを許可する、
接続装置。
【請求項２】
前記被結合部は、ねじ穴であり、
前記第一固定部は、第一押さえ板を有し、前記第一押さえ板は第一貫通孔を有し、前記第一結合部は前記第一貫通孔に挿し通されているねじであり、
前記第二固定部は、第二押さえ板を有し、前記第二押さえ板は第二貫通孔を有し、前記第二結合部は前記第二貫通孔に挿し通されているねじである、
請求項１に記載の接続装置。
【請求項３】
前記第一結合部は、第一頭部と第一軸部とを有し、前記第一軸部は、前記第一貫通孔よりも大きい径を有する第一抜け止め部と、前記第一抜け止め部と前記第一頭部との間にあり前記第一貫通孔よりも小さい径を有する第一小径部とを有し、前記第一小径部が前記第一貫通孔に挿し通されており、
前記第二結合部は、第二頭部と第二軸部とを有し、前記第二軸部は、前記第二貫通孔よりも大きい径を有する第二抜け止め部と、前記第二抜け止め部と前記第二頭部との間にあり前記第二貫通孔よりも小さい径を有する第二小径部とを有し、前記第二小径部が前記第二貫通孔に挿し通されている、
請求項２に記載の接続装置。
【請求項４】
前記第一識別部と前記第一被識別部とのうち、一方が突起であり、他方がこの突起と嵌まり合う孔又は凹部であり、
前記第二識別部と前記第二被識別部とのうち、一方が突起であり、他方がこの突起と嵌まり合う孔又は凹部である、
請求項１から３のいずれか一項に記載の接続装置。
【請求項５】
前記被識別部の形状と前記被識別部の前記被結合部に対する位置とのうち、少なくとも一方が、前記固定端子ごとに異なる、
請求項１から４のいずれか一方に記載の接続装置。
【請求項６】
前記固定端子は、三つ以上であり、
前記第一識別部は、前記被識別部のうち前記第一被識別部のみと嵌まり合って前記第一固定部が前記第一接続端子を介して前記固定端子のうち前記第一固定端子のみに重ねられかつ前記第一被結合部と前記第一結合部とがねじ締めされることを許可し、前記第二識別部は、前記被識別部のうち前記第二識別部のみと嵌まり合って前記第二固定部が前記第二接続端子を介して前記固定端子のうち前記第二固定端子のみに重ねられかつ前記第二被結合部と前記第二結合部とがねじ締めされることを許可する、
請求項１から５のいずれか一項に記載の接続装置。
【請求項７】
前記第一ケーブルに前記第一固定部を保持する第一結束具と、前記第二ケーブルに前記第二固定部を保持する第二結束具とを備える、
請求項１から６のいずれか一項に記載の接続装置。
【請求項８】
前記第一結束具は、前記第一固定部の前記第一結合部を中心とする回転を規制するように構成され、
前記第二結束具は、前記第二固定部の前記第二結合部を中心とする回転を規制するように構成されている、
請求項７に記載の接続装置。
【請求項９】
前記第一結束具は、前記第一固定部の、前記第一接続端子に重なる位置と、前記第一接続端子には重ならない位置との間での移動を許可し、
前記第二結束具は、前記第二固定部の、前記第二接続端子に重なる位置と、前記第二接続端子には重ならない位置との間での移動を許可する、
請求項７又は８に記載の接続装置。
【請求項１０】
請求項１から９のいずれか一項に記載の接続装置における前記第一ケーブル、前記第一接続端子、及び前記第一固定部を備える、
接続ケーブル。
【請求項１１】
電力変換回路と、
請求項１から９のいずれか一項に記載の接続装置における前記端子台とを備え、
前記端子台における前記固定端子のうち少なくとも一つは、前記電力変換回路の入力と出力のうち一方に電気的に接続されている、
電力変換装置。
【発明の詳細な説明】
【技術分野】
【０００１】
本発明は、一般に接続装置、接続ケーブル及び電力変換装置に関し、詳しくはケーブルと、ケーブルに接続されている接続端子と、二つ以上の固定端子を有する端子台とを備える接続装置、この接続装置におけるケーブル及び接続端子を備える接続ケーブル、並びにこの接続装置における端子台を備える電力変換装置に関する。
【背景技術】
【０００２】
複数の端子を有する端子台にケーブルの端子を接続する場合には、誤接続が起こらないように注意する必要がある。
【０００３】
端子台における誤接続を防止するための技術が、特許文献１に開示されている。この技術では、ケーブルの端子に凹部切り欠きを形成し、端子台に凹部切り欠きに対応する突起を設けることで、ケーブルの端子が端子台における特定の端子にのみ接続されるように構成されている。
【先行技術文献】
【特許文献】
【０００４】
【特許文献１】実開昭６４−４６９７４号公報
【発明の概要】
【発明が解決しようとする課題】
【０００５】
特許文献１に開示されている技術では、ケーブルの端子に凹部切り欠きを形成することから、端子に凹部切り欠きの分だけ欠損が生じ、かつ凹部切り欠きの形成時に端子が変形しやすい。このため、凹部切り欠きを形成することでケーブルの端子と端子台の端子との接点の接触抵抗が増大してしまい、しかもこの増大量を制御することは難しい。このため、端子台を備える装置に供給され又はこの装置から外部へ供給される電力の、電流値、電圧値等を、正確に制御することが難しくなる。
【０００６】
本発明の課題は、接続端子と固定端子との誤接続が生じにくく、しかも誤接続を生じにくくするための要素を接続端子が有する必要がない接続装置、接続ケーブル及び電力変換装置を提供することである。
【課題を解決するための手段】
【０００７】
本発明の一態様に係る接続装置は、第一固定端子及び第二固定端子を含む二つ以上の固定端子を有する端子台と、第一ケーブル及び第二ケーブルと、前記第一ケーブル及び前記第二ケーブルのそれぞれの一端に電気的に接続された第一接続端子及び第二接続端子と、前記第一ケーブルに保持されている第一固定部と、前記第二ケーブルに保持されている第二固定部とを備える。前記固定端子は、被結合部と、被識別部とを有し、前記被結合部及び前記被識別部は、それぞれ前記第一固定端子が有する第一被結合部及び第一被識別部を含み、かつ前記被結合部及び前記被識別部は、それぞれ前記第二固定端子が有する第二被結合部及び第二被識別部も含む。前記第一固定部及び前記第二固定部は、それぞれ第一結合部及び第二結合部を有し、前記被結合部の各々と、前記第一結合部及び前記第二結合部の各々とのうち、一方が雌ねじを有し、他方が前記雌ねじに対応する雄ねじを有する。前記第一固定部及び前記第二固定部は、それぞれ第一識別部及び第二識別部を有する。前記第一識別部は、前記第一被識別部と前記第二被識別部とのうち前記第一被識別部のみと嵌まり合って前記第一固定部が前記第一接続端子を介して前記第一固定端子に重ねられかつ前記第一被結合部と前記第一結合部とがねじ締めされることを許可する。前記第二識別部は、前記第一被識別部と前記第二被識別部とのうち前記第二被識別部のみと嵌まり合って前記第二固定部が前記第二接続端子を介して前記第二固定端子に重ねられかつ前記第二被結合部と前記第二結合部とがねじ締めされることを許可する。
【０００８】
本発明の一態様に係る接続ケーブルは、前記接続装置における前記第一ケーブル、前記第一接続端子、及び前記第一固定部を備える。
【０００９】
本発明の一実施形態に係る電力変換装置は、電力変換回路と、前記接続装置における前記端子台とを備える。前記端子台における前記固定端子のうち少なくとも一つは、前記電力変換回路の入力端と出力端のうち一方に電気的に接続されている。
【発明の効果】
【００１０】
本発明の一態様に係る接続装置、接続ケーブル及び電力変換装置には、接続端子と固定端子との誤接続が生じにくく、しかも誤接続を生じにくくするための要素を接続端子が有する必要がないという利点がある。
【図面の簡単な説明】
【００１１】
【図１】図１Ａは本発明の実施形態に係る接続装置を示す平面図であり、図１Ｂは図１Ａに示す接続装置のＡ−Ａ断面図である。
【図２】図２Ａは本発明の実施形態に係る接続装置における端子台を示す平面図であり、図２Ｂは図２Ａに示す端子台のＡ−Ａ断面図である。
【図３】本発明の実施形態に係る接続装置における、第一ケーブル、第一固定部及び第一結束具、並びに第二ケーブル、第二固定部及び第二結束具を示す、側面図である。
【図４】本発明の実施形態に係る接続装置における、第一ケーブル、第一固定部及び第一結束具、並びに第二ケーブル、第二固定部及び第二結束具を示す、平面図である。
【図５】本発明の実施形態に係る接続装置における、第一ケーブル、第一固定部及び第一結束具を示す、図４のＡ−Ａ断面図である。
【図６】本発明の実施形態に係る接続装置における、第二ケーブル、第二固定部及び第二結束具を示す、図４のＡ−Ａ断面図である。
【発明を実施するための形態】
【００１２】
以下、本発明の実施形態に係る接続装置１、接続ケーブル６１及び電力変換装置について、説明する。
【００１３】
１．接続装置
１−１．接続装置の概要
まず、本発明の実施形態に係る接続装置１の概要について説明する。
【００１４】
図１Ａ及び図１Ｂに、接続装置１を示す。図２Ａ及び図２Ｂに接続装置１における端子台２を示す。図３及び図４に接続装置１における第一ケーブル６、第一固定部１０及び第一結束具３４、並びに第二ケーブル７、第二固定部１１及び第二結束具３５を示す。図５に第一ケーブル６、第一固定部１０及び第一結束具３４を示し、図６に第二ケーブル７、第二固定部１１及び第二結束具３５を示す。
【００１５】
本実施形態の第一態様では、接続装置１は、端子台２を備える。端子台２は、第一固定端子４及び第二固定端子５を含む二つ以上の固定端子３を有する。接続装置１は、第一ケーブル６及び第二ケーブル７と、第一ケーブル６及び第二ケーブル７のそれぞれの一端に電気的に接続された第一接続端子８及び第二接続端子９とを更に備える。接続装置１は、第一ケーブル６に保持されている第一固定部１０と、第二ケーブル７に保持されている第二固定部１１とを、更に備える。
【００１６】
固定端子３は、被結合部１２と、被識別部１３とを有する。被結合部１２及び被識別部１３は、それぞれ第一固定端子４が有する第一被結合部１４及び第一被識別部１５を含む。被結合部１２及び被識別部１３は、それぞれ第二固定端子５が有する第二被結合部１６及び第二被識別部１７を含む。
【００１７】
第一固定部１０及び第二固定部１１は、それぞれ第一結合部１８及び第二結合部１９を有する。被結合部１２の各々と、第一結合部１８及び第二結合部１９の各々とのうち、一方が雌ねじを有し、他方が雌ねじに対応する雄ねじを有する。
【００１８】
第一固定部１０及び第二固定部１１は、それぞれ第一識別部２０及び第二識別部２１を有する。
【００１９】
第一識別部２０は、第一被識別部１５と第二被識別部１７とのうち第一被識別部１５のみと嵌まり合って、第一固定部１０が第一接続端子８を介して第一固定端子４に重ねられかつ第一被結合部１４と第一結合部１８とがねじ締めされることを許可する。第二識別部２１は、第一被識別部１５と第二被識別部１７とのうち第二被識別部１７のみと嵌まり合って、第二固定部１１が第二接続端子９を介して第二固定端子５に重ねられかつ第二被結合部１６と前記第二結合部１９とがねじ締めされることを許可する。
【００２０】
このため、第一固定部１０を第一接続端子８を介して第一固定端子４に重ねた状態で第一固定部１０を第一固定端子４に固定することが容易である。これにより、第一接続端子８が第一固定端子４に電気的に接続されることは、容易である。一方、第一固定部１０を第一接続端子８を介して第二固定端子５に重ねた状態で第一固定部１０を第二固定端子５に固定することは容易でない。これにより、第一接続端子８が第二固定端子５に電気的に接続されることは、容易ではない。同様に、第二接続端子９が第二固定端子５に電気的に接続されることは容易であるが、第二接続端子９が第一固定端子４に電気的に接続されることは容易ではない。
【００２１】
このため、第一接続端子８が第一固定端子４に接続されるべきである場合、及び第二接続端子９が第二固定端子５に接続されるべきである場合に、誤接続が生じにくい。
【００２２】
しかも、本実施形態では、誤接続を生じにくくするための要素である第一識別部２０は第一接続端子８ではなく第一固定部１０が有し、同様に第二識別部２１は第二接続端子９ではなく第二固定部１１が有する。このため、第一接続端子８及び第二接続端子９は誤接続を生じにくくするための要素を有する必要がない。このため、第一接続端子８及び第二接続端子９を特別な形状にすることなどによる第一接続端子８と第一固定端子４との間、及び第二接続端子９と第二固定端子５との間の接触抵抗の増大を、生じさせないようにできる。
【００２３】
以上により、本実施形態では、端子台２に第一接続端子８及び第二接続端子９を接続する場合に誤接続が生じにくく、しかも接点の接触抵抗が増大しにくい。
【００２４】
本実施形態の第二態様では、第一態様において、被結合部１２は、ねじ穴であってもよい。第一固定部１０は、第一押さえ板２２を有してもよい。第一押さえ板２２は第一貫通孔２３を有してもよい。第一結合部１８は第一貫通孔２３に挿し通されているねじであってもよい。第二固定部１１は、第二押さえ板２４を有してもよい。第二押さえ板２４は第二貫通孔２５を有してもよい。第二結合部１９は第二貫通孔２５に挿し通されているねじであってもよい。接続装置１がこれらの構成を備えると、第一結合部１８を第一被結合部１４にねじ込むことで、第一固定端子４に第一押さえ板２２を固定できる。かつ、第一押さえ板２２で第一接続端子８を第一固定端子４へ押しつけることで、第一接続端子８と第一固定端子４とを電気的に接続できる。同様にして、第二接続端子９と第二固定端子５とを電気的に接続できる。
【００２５】
本実施形態の第三態様では、第二態様において、第一結合部１８は、第一頭部２６と第一軸部２７とを有してもよい。第一軸部２７は、第一貫通孔２３よりも大きい径を有する第一抜け止め部２８を有してもよい。第一軸部２７は、第一抜け止め部２８と第一頭部２６との間にあり第一貫通孔２３よりも小さい径を有する第一小径部２９を更に有してもよい。第一小径部２９は第一貫通孔２３に挿し通されていてもよい。第二結合部１９がねじである場合、第二結合部１９は、第二頭部３０と第二軸部３１とを有してもよい。第二軸部３１は、第二貫通孔２５よりも大きい径を有する第二抜け止め部３２を有してもよい。第二軸部３１は、第二抜け止め部３２と第二頭部３０との間にあり前記第二貫通孔２５よりも小さい径を有する第二小径部３３を更に有してもよい。第二小径部３３は第二貫通孔２５に挿し通されていてもよい。接続装置１がこれらの構成を備える場合、第一結合部１８は第一押さえ板２２から抜けにくい。第一結合部１８が第一押さえ板２２から抜けてしまうと、作業者等が第一押さえ板２２を使わずに第一結合部１８又はこれ以外のねじを使って第一接続端子８を第一固定端子４に電気的に接続するという事態が起こりうる。その場合は、誤接続が生じうる。しかし、第一結合部１８が第一押さえ板２２から抜けにくいと、作業者等は、第一押さえ板２２と第一結合部１８とを使用して第一接続端子８を第一固定端子４に電気的に接続するように促される。同様に、作業者等は、第二押さえ板２４と第二結合部１９とを使用して第一接続端子８を第一固定端子４に電気的に接続するように促される。このため、誤接続が更に生じにくくなる。
【００２６】
本実施形態の第四態様では、第一から第三のいずれかの態様において、第一識別部２０と第一被識別部１５とのうち、一方が突起であり、他方がこの突起と嵌まり合う孔又は凹部であってもよい。第二識別部２１と第二被識別部１７とのうち、一方が突起であり、他方がこの突起と嵌まり合う孔又は凹部であってもよい。接続装置１がこれらの構成を備えると、第一接続端子８を第一固定端子４に電気的に接続しようとする場合には、突起が孔又は凹部と嵌まり合うことで、第一接続端子８を第一固定端子４に容易に電気的に接続できる。第一接続端子８を第二固定端子５に電気的に接続しようとしても、突起は孔又は凹部と嵌まり合わないために、第一接続端子８を第二固定端子５に容易に電気的に接続できない。同様に、第二接続端子９を第二固定端子５に容易に電気的に接続でき、第二接続端子９を第一固定端子４に容易に電気的に接続できない。
【００２７】
本実施形態の第五態様では、第一から第四のいずれかの態様において、被識別部１３の形状と被識別部１３の被結合部１２に対する位置とのうち、少なくとも一方が、固定端子３ごとに異なってもよい。接続装置１がこの構成を備えると、第一接続端子８を第一固定端子４に電気的に接続しようとする場合には、第一識別部２０と第一被識別部１５との形状及び位置が合う。このため、第一識別部２０が第一被識別部１５と嵌まり合って、第一接続端子８を第一固定端子４に容易に電気的に接続できる。第一接続端子８を第二固定端子５に電気的に接続しようとしても、第一識別部２０と第二被識別部１７との形状又は位置が合わない。このため、第一識別部２０は第二被識別部１７と嵌まり合わず、第一接続端子８を第二固定端子５に容易に電気的に接続できない。同様に、第二接続端子９を第二固定端子５に容易に電気的に接続でき、第二接続端子９を第一固定端子４に容易に電気的に接続できない。
【００２８】
本実施形態の第六態様では、第一から第五のいずれかの態様において、固定端子３は、三つ以上であってもよい。第一識別部２０は、被識別部１３のうち第一被識別部１５のみと嵌まり合って第一固定部１０が第一接続端子８を介して固定端子３のうち第一固定端子４のみに重ねられかつ第一被結合部１４と第一結合部１８とがねじ締めされることを、許可してもよい。第二識別部２１は、被識別部１３のうち第二識別部２１のみと嵌まり合って第二固定部１１が第二接続端子９を介して固定端子３のうち第二固定端子５のみに重ねられかつ第二被結合部１６と第二結合部１９とがねじ締めされることを、許可してもよい。接続装置１がこれらの構成を備える場合、第一接続端子８は、三つ以上の固定端子３のうち、第一固定端子４に電気的に接続されることは容易であるが、第一固定端子４以外の固定端子３に電気的に接続されることは容易ではない。同様に、第二接続端子９は、三つ以上の固定端子３のうち、第二固定端子５に電気的に接続されることは容易であるが、第二固定端子５以外の固定端子３に電気的に接続されることは容易ではない。このため、誤接続を更に生じにくくできる。
【００２９】
本実施形態の第七態様では、第一から第六のいずれかの態様において、接続装置１は、第一ケーブル６に第一固定部１０を保持する第一結束具３４と、第二ケーブル７に第二固定部１１を保持する第二結束具３５とを備えてもよい。
【００３０】
本実施形態の第八態様では、第七態様において、第一結束具３４は、第一固定部１０の第一結合部１８を中心とする回転を規制するように構成されてもよい。第二結束具３５は、第二固定部１１の第二結合部１９を中心とする回転を規制するように構成されてもよい。接続装置１がこれらの構成を備えると、第一接続端子８を第一固定端子４に電気的に接続しようとする場合に、第一固定部１０が回転することで第一識別部２０と第一被識別部１５の位置が合わなくなって接続できなくなるという事態を生じにくくできる。また、第一接続端子８を第二固定端子５に電気的に接続しようとする場合に、第一固定部１０が回転することで第一識別部２０と第二識別部２１の位置が合ってしまうことで接続できてしまうという事態を生じにくくできる。同様に、第二接続端子９を第二固定端子５に接続できないという事態、及び第二接続端子９を第一固定端子４に接続できてしまうという事態を、生じにくくできる。これにより、誤接続を更に生じにくくできる。
【００３１】
本実施形態の第九態様では、第七又は第八態様において、第一結束具３４は、第一固定部１０の、第一接続端子８に重なる位置と、第一接続端子８には重ならない位置との間での移動を許可してもよい。第二結束具３５は、第二固定部１１の、第二接続端子９に重なる位置と、第二接続端子９には重ならない位置との間での移動を許可してもよい。接続装置１がこれらの構成を備えると、第一接続端子８を第一固定端子４に重ねて配置した状態で第一固定部１０を移動させて、第一固定部１０を第一接続端子８を介して第一固定端子４に重ねかつ第一固定部１０を第一固定端子４に固定することが、容易である。また、第二接続端子９を第二固定端子５に重ねて配置した状態で第二固定部１１を移動させて、第二固定部１１を第二接続端子９を介して第二固定端子５に重ねかつ第二固定部１１を第二固定端子５に固定することが容易である。このため、接続の作業が容易である。
【００３２】
１−２．接続装置の詳細
下記に、本実施形態に係る接続装置１の詳細について説明する。なお、本実施形態に係る接続装置１は、下記の説明のみに制限されず、必要に応じて種々の構成の追加、削除、置換といった設計変更が可能である。
【００３３】
接続装置１は、図１Ａ及び図１Ｂに示すように、端子台２、第一ケーブル６、第二ケーブル７、第一接続端子８、第二接続端子９、第一固定部１０及び第二固定部１１を備える。接続装置１は、第一結束具３４及び第二結束具３５も更に備える。
【００３４】
図２Ａ及び図２Ｂに示すように、端子台２は、ハウジング３６を有する。ハウジング３６は、例えばプラスチックなどの電気絶縁体から作製される。ハウジング３６の全体形状は直方体である。ハウジング３６の一方向（以下、第一方向Ｄ１という）を向く面には、六つの固定端子３、３７が設けられている。固定端子３、３７は、第一方向Ｄ１と直交する一方向（以下、第二方向Ｄ２という）に並ぶ三つの固定端子３（以下、第一列に含まれる固定端子３ともいう）を含む。固定端子３、３７は、第一列に含まれる固定端子３と並列に並ぶ三つの固定端子３７（以下、第二列に含まれる固定端子３７ともいう）も含む。第一列に含まれる固定端子３と、第二列に含まれる固定端子３７とは、それぞれ、ハウジング３６における異なる縁部に設けられている。これにより、端子台２は、固定端子３を有する。
【００３５】
第一列に含まれる固定端子３の各々は、凹所３８と、被結合部１２と、被識別部１３と、端子板３９とを有する。
【００３６】
凹所３８は、ハウジング３６に形成されている。凹所３８は、第一方向Ｄ１と、第一方向Ｄ１及び第二方向Ｄ２と直交する第三方向Ｄ３とに、開放されている。ハウジング３６を第一方向Ｄ１と反対方向に見た場合の凹所３８の平面視形状は四角形である。
【００３７】
被結合部１２は、凹所３８の底面で開口するねじ穴である。このため、被結合部１２は雌ねじを有する。底面とは、第一方向Ｄ１を向く面である。被識別部１３は、凹所３８の底面から第一方向Ｄ１へ突出する円柱状の突起である。被識別部１３は、ハウジング３６の一部である。被識別部１３は、被結合部１２の周りある。被識別部１３の形状は全て同じ円柱状であるが被結合部１２に対する被識別部１３の位置は、固定端子３ごとに異なる。端子板３９は、金属製の板であり、凹所３８の底面に接して配置されている。端子板３９は、被識別部１３が挿し通されている孔（通孔４０という）と、被結合部１２に通じる孔（露出孔４１という）とを、有する。すなわち、被識別部１３は通孔４０に挿し通されており、被結合部１２は露出孔４１で露出している。被結合部１２に対する被識別部１３の位置は固定端子３ごとに異なるため、それに応じて、端子板３９における露出孔４１に対する通孔４０の位置も固定端子３ごとに異なる。
【００３８】
第一列に含まれる固定端子３に、第一固定端子４と第二固定端子５が含まれる。第一固定端子４及び第二固定端子５という名称は、固定端子３を区別するための便宜的なものであり、固定端子３のいずれが第一固定端子４であってもよく、いずれが第二固定端子５であってもよい。この説明では、第一列の一端にある固定端子３を第一固定端子４、その隣の固定端子３を第二固定端子５とする。第一固定端子４が有する被結合部１２、被識別部１３及び端子板３９が、それぞれ第一被結合部１４、第一被識別部１５及び第一端子板４２である。第二固定端子５が有する被結合部１２、被識別部１３及び端子板３９が、それぞれ第二被結合部１６、第二被識別部１７及び第二端子板４３である。また、第一固定端子４が有する凹所３８を第一凹所４４といい、第二固定端子５が有する凹所３８を第二凹所４５という。
【００３９】
第二列に含まれる固定端子３７は、第一列に含まれる固定端子３とは異なる構造を有する。第二列に含まれる固定端子３７は、例えば公知の端子台における端子の構造を有することができる。なお、第二列に含まれる固定端子３７は、第一列に含まれる固定端子３と同様の構造を有してもよく、すなわち第二列に含まれる固定端子３７は、被結合部１２と被識別部１３とを有してもよい。
【００４０】
第一ケーブル６及び第二ケーブル７の各々は、図５及び図６に示すように、電線４６と電線４６を覆う被覆４７とを有する公知のケーブルでよい。
【００４１】
図３及び図４に示すように、第一接続端子８は、第一ケーブル６の一端に取り付けられている。第一接続端子８は、第一ケーブル６の電線４６に繋げられており、これにより、第一接続端子８は第一ケーブル６に電気的に接続されている。第一接続端子８は、金属製の、円環形状の板である。このため、第一接続端子８は貫通孔４８を有する。なお、第一ケーブル６の第一接続端子８側とは反対側の端部にも、第一接続端子８とは異なる接続端子が電気的に接続されていてもよい。
【００４２】
第一固定部１０は、第一ケーブル６の、第一接続端子８がある側の端部に保持されている。第一結束具３４が、第一固定部１０を第一ケーブル６の端部に保持している。
【００４３】
第一固定部１０は、第一押さえ板２２と、第一結合部１８とを有する。第一結合部１８はねじである。第一結合部１８はプラスねじであるが、マイナスねじでもよく、トルクス（登録商標）ねじでもよい。第一結合部１８がねじであることで、第一固定部１０は雄ねじを有する。この雄ねじは、被結合部１２が有する雌ねじに対応する。第一押さえ板２２は、金属製の平板である。第一押さえ板２２は、一つの面（以下、上面４９という）と、上面４９とは反対側の面（以下、下面５０という）とを有する。なお、上面４９、下面５０という語には、二つの面を区別する以外の意味はなく、これらの面が鉛直上方及び下方を向くことは意味しない。また、第一押さえ板２２は、一つの端縁（以下、先端縁５１という）と、先端縁５１とは反対側の端縁（以下、後端縁５２という）とを有する。第一押さえ板２２は、上面４９が第一方向Ｄ１を向き、かつ先端縁５１と後端縁５２とがこの順に第三方向Ｄ３に並ぶように配置された状態（以下、接続状態という）で、第一凹所４４と嵌まり合う形状を有する。具体的には第一押さえ板２２は第一凹所４４の平面視形状と同じかそれより僅かに小さい四角形状を有する。第一押さえ板２２は、第一貫通孔２３を有する。第一貫通孔２３は、第一押さえ板２２の中央部を貫通している。第一貫通孔２３には、第一結合部１８が挿し通される。
【００４４】
第一押さえ板２２は、図５に示すように、第一識別部２０を有し、これにより第一固定部１０が第一識別部２０を有する。第一識別部２０は、第一被識別部１５と嵌まり合う孔であり、第一貫通孔２３の周りにある。接続状態にある第一押さえ板２２における第一貫通孔２３に対する第一識別部２０の位置（すなわち第一結合部１８に対する第一識別部２０の位置）は、第一固定端子４における第一被結合部１４に対する第一被識別部１５の位置と、同じである。
【００４５】
第一結合部１８は、第一頭部２６と第一軸部２７とを有する。第一軸部２７は、第一貫通孔２３よりも大きい径を有する第一抜け止め部２８と、第一抜け止め部２８と第一頭部２６との間にあり第一貫通孔２３よりも小さい径を有する第一小径部２９とを有する。第一軸部２７においては、第一小径部２９には雄ねじは形成されておらず、第一軸部２７の先端と第一抜け止め部２８との間に雄ねじが形成されている。第一抜け止め部２８は、例えばかしめ加工で形成される。第一小径部２９は第一貫通孔２３に挿し通されており、これにより第一結合部１８が第一貫通孔２３に挿し通されている。第一抜け止め部２８は、第一貫通孔２３から第一結合部１８が抜けることを防止できる。第一結合部１８の第一頭部２６は第一押さえ板２２に対してその上面４９側にあり、第一軸部２７は第一頭部２６から第一押さえ板２２の下面５０が向く方向に突出している。
【００４６】
第一押さえ板２２は、その後端縁５２側にある二つの隅部に、それぞれ保持孔５３を有する。
【００４７】
第一結束具３４は、輪状の装着部５４と、輪状の二つの連結部５５とを有する。装着部５４は、第一ケーブル６の一端部に、この第一ケーブル６を囲むように保持されている。装着部５４の内周には間隔をあけて形成された二つの凹部５６があり、凹部５６と第一ケーブル６との間の隙間にそれぞれ連結部５５が通されている。二つの連結部５５は、第一押さえ板２２における二つの保持孔５３にも、それぞれ通されている。これにより、第一結束具３４が第一固定部１０を第一ケーブル６に保持している。また、第一押さえ板２２は二つの保持孔５３で第一結束具３４に連結されているため、第一結束具３４は、第一固定部１０の第一結合部１８を中心とする回転を規制している。第一結束具３４は、少なくとも、第一固定部１０が第一接続端子８に重なる位置にあるときの第一固定部１０の回転を規制する。第一固定部１０が第一結合部１８を中心に９０°以上は回転しない程度に、第一固定部１０の回転が規制されることが好ましい。第一固定部１０が回転できる角度は、例えば連結部５５の長さを調整することで制御できる。また、第一固定部１０は、装着部５４と連結部５５との連結位置（すなわち凹部５６の位置）を中心に回転可能である。このため、第一結束具３４は、図３に示すように、第一固定部１０の、第一接続端子８に重なる位置と、第一接続端子８には重ならない位置との間での移動を許可する。第一固定部１０が第一接続端子８に重なる位置にあるときは、第一押さえ板２２の下面５０が第一接続端子８に接し、第一結合部１８の第一軸部２７が第一接続端子８の貫通孔４８に挿し通される。
【００４８】
第一結束具３４は、変形可能な材料から作製されることが好ましい。この場合、第一固定部１０の移動が容易である。第一結束具３４は、例えばゴムなどの可とう性を有する材料で作製されることが好ましい。また、第一結束具３４は、鎖などの、互いに軸回転可能に連結された複数の部材で作製されることも好ましい。
【００４９】
第二接続端子９は、第二ケーブル７の一端に取り付けられている。第二接続端子９は、第二ケーブル７の電線４６に繋げられており、これにより、第二接続端子９は第二ケーブル７に電気的に接続されている。第二接続端子９は、金属製の、円環形状の板である。このため、第二接続端子９は貫通孔４８を有する。なお、第二ケーブル７の第二接続端子９側とは反対側の端部にも、第二接続端子９とは異なる接続端子が電気的に接続されていてもよい。
【００５０】
図３及び４に示すように、第二固定部１１は、第二ケーブル７の、第二接続端子９がある側の端部に保持されている。第二結束具３５が、第二固定部１１を第二ケーブル７の端部に保持している。
【００５１】
第二固定部１１は、第二押さえ板２４と、第二結合部１９とを有する。第二結合部１９はねじである。第二結合部１９はプラスねじであるが、マイナスねじでもよく、トルクス（登録商標）ねじでもよい。第二結合部１９がねじであることで、第二固定部１１は雄ねじを有する。この雄ねじは、被結合部１２が有する雌ねじに対応する。第二押さえ板２４は、金属製の平板である。第二押さえ板２４は、一つの面（以下、上面４９という）と、上面４９とは反対側の面（以下、下面５０という）とを有する。なお、上面４９、下面５０という語には、二つの面を区別する以外の意味はなく、これらの面が鉛直上方及び下方を向くことは意味しない。また、第二押さえ板２４は、一つの端縁（以下、先端縁５１という）と、先端縁５１とは反対側の端縁（以下、後端縁５２という）とを有する。第二押さえ板２４は、上面４９が第二方向Ｄ２を向き、かつ先端縁５１と後端縁５２とがこの順に第三方向Ｄ３に並ぶように配置された状態（以下、接続状態という）で、第二凹所４５に嵌まり合う形状を有する。具体的には第二押さえ板２４は第二凹所４５の平面視形状と同じかそれより僅かに小さい四角形状を有する。第二押さえ板２４は、第二貫通孔２５を有する。第二貫通孔２５は、第二押さえ板２４の中央部を貫通している。第二貫通孔２５には、第二結合部１９が挿し通される。
【００５２】
図６に示すように、第二押さえ板２４は第二識別部２１を有し、これにより第二固定部１１が第二識別部２１を有する。第二識別部２１は、第二被識別部１７と嵌まり合う孔であり、第二貫通孔２５の周りにある。接続状態にある第二押さえ板２４における第二貫通孔２５に対する第二識別部２１の位置（すなわち第二結合部１９に対する第二識別部２１の位置）は、第二固定端子５における第二被結合部１６に対する第二被識別部１７の位置と、同じである。
【００５３】
第二結合部１９は、第二頭部３０と第二軸部３１とを有する。第二軸部３１は、第二貫通孔２５よりも大きい径を有する第二抜け止め部３２と、第二抜け止め部３２と第二頭部３０との間にあり第二貫通孔２５よりも小さい径を有する第二小径部３３とを有する。第二軸部３１においては、第二小径部３３には雄ねじは形成されておらず、第二軸部３１の先端と第二抜け止め部３２との間に雄ねじが形成されている。第二抜け止め部３２は、例えばかしめ加工で形成される。第二小径部３３は第二貫通孔２５に挿し通されており、これにより第二結合部１９が第二貫通孔２５に挿し通されている。第二抜け止め部３２は、第二貫通孔２５から第二結合部１９が抜けることを防止できる。第二結合部１９の第二頭部３０は第二押さえ板２４に対してその上面４９側にあり、第二軸部３１は第二頭部３０から第二押さえ板２４の下面５０が向く方向に突出している。
【００５４】
第二押さえ板２４は、その後端縁５２側にある二つの隅部に、それぞれ保持孔５３を有する。
【００５５】
第二結束具３５は、輪状の装着部５４と、輪状の二つの連結部５５とを有する。装着部５４は、第二ケーブル７の一端部に、この第二ケーブル７を囲むように保持されている。装着部５４の内周には間隔をあけて形成された二つの凹部５６があり、凹部５６と第二ケーブル７との間の隙間にそれぞれ連結部５５が通されている。二つの連結部５５は、第二押さえ板２４における二つの保持孔５３にも、それぞれ通されている。これにより、第二結束具３５が第二固定部１１を第二ケーブル７に保持している。また、第二押さえ板２４は二つの保持孔５３で第二結束具３５に連結されているため、第二結束具３５は、第二固定部１１の第二結合部１９を中心とする回転を規制している。第二結束具３５は、少なくとも、第二固定部１１が第二接続端子９に重なる位置にあるときの第二固定部１１の回転を規制する。第二固定部１１が第二結合部１９を中心に９０°以上は回転しない程度に、第二固定部１１の回転が規制されることが好ましい。第二固定部１１が回転できる角度は、例えば連結部５５の長さを調整することで制御できる。また、第二固定部１１は、装着部５４と連結部５５との連結位置（すなわち凹部５６の位置）を中心に回転可能である。このため、図３に示すように、第二結束具３５は、第二固定部１１の、第二接続端子９に重なる位置と、第二接続端子９には重ならない位置との間での移動を許可することができる。第二固定部１１が第二接続端子９に重なる位置にあるときは、第二押さえ板２４の下面５０が第二接続端子９に接し、第二結合部１９の第二軸部３１が第二接続端子９の貫通孔４８に挿し通される。
【００５６】
第二結束具３５は、変形可能な材料から作製されることが好ましい。この場合、第二固定部１１の移動が容易である。第二結束具３５は、例えばゴムなどの可とう性を有する材料で作製されることが好ましい。また、第二結束具３５は、鎖などの、互いに軸回転可能に連結された複数の部材で作製されることも好ましい。
【００５７】
接続装置１は、第一ケーブル６及び第二ケーブル７以外の、少なくとも１つのケーブル（以下、第三ケーブル５７という）を更に備えてもよい（図１Ａ参照）。第三ケーブル５７も、電線と被覆４７とを有する公知のケーブルでよい。第一ケーブル６、第二ケーブル７、及び第三ケーブル５７の合計数は、例えば固定端子３の個数と一致する。この場合、固定端子３は、第一ケーブル６に対応する第一固定端子４と、第二ケーブル７に対応する第二固定端子５とを含み、更に第三ケーブル５７に対応する固定端子３も含む。第三ケーブル５７が複数である場合には、固定端子３は、第三ケーブル５７にそれぞれ対応する固定端子３を含む。つまり、接続装置１が備えるケーブル（すなわち第一ケーブル６、第二ケーブル７及び第三ケーブル５７）と、固定端子３とは、一対一に対応する。
【００５８】
接続装置１は、第三ケーブル５７の一端に電気的に接続されている第三接続端子５８、第三ケーブル５７の端部に保持されている第三固定部５９、及び第三固定部５９を第三ケーブル５７に保持する第三結束具６０を備えてもよい。第三接続端子５８は第一接続端子８及び第二接続端子９と同様の構成を有することができる。第三固定部５９は第一固定部１０及び第二固定部１１と同様の構成を有することができる。第三結束具６０は第一結束具３４及び第二結束具３５と同じ構成を有することができる。このため、第三固定部５９は、第一結合部１８及び第二結合部１９と同様の構成を有する第三結合部６２、並びに第一識別部２０及び第二識別部２１と同様の構成を有する第三識別部６３を有することができる。ただし、第三固定部５９における第三結合部６２に対する第三識別部６３の位置は、第一固定部１０における第一結合部１８に対する第一識別部２０の位置とは異なり、第二固定部１１における第二結合部１９に対する第二識別部２１の位置とも異なる。第三固定部５９における第三結合部６２に対する第三識別部６３の位置は、第一列に含まれる固定端子３のうち、第三ケーブル５７に対応する特定の固定端子３における被結合部１２に対する被識別部１３の位置と、同じである。
【００５９】
以上の構成を有する接続装置１における第一接続端子８を端子台２の第一固定端子４に接続する場合には、第一ケーブル６をその第一接続端子８側の先端が第三方向Ｄ３とは反対方向を向くように配置する。第一固定部１０は、第一ケーブル６に対して第一方向Ｄ１側の、第一接続端子８には重ならない位置に配置する。この状態で第一接続端子８を、その貫通孔４８と第一被結合部１４とを位置合わせして、第一端子板４２に重ねる。続いて、第一固定部１０を第一接続端子８に重なる位置に移動させながら、第一結合部１８を第一被結合部１４にねじ込む。第一押さえ板２２は第一凹所４４と嵌まり合う形状を有するため、第一固定部１０を第一接続端子８に重なる位置に容易に移動させることができる。このとき、第一識別部２０は、第一被識別部１５と嵌まり合うため、第一固定部１０の移動を阻害しない。すなわち、第一識別部２０は、第一固定部１０が第一接続端子８を介して第一固定端子４に重ねられかつ第一被結合部１４と第一結合部１８とがねじ締めされることを、許可する。このとき、第一結束具３４が第一固定部１０の第一結合部１８を中心とする回転を規制するため、第一識別部２０と第一被識別部１５との位置が合わなくなって第一識別部２０が第一被識別部１５と嵌まり合わない事態は、生じにくい。このようにして、図１Ａ及び図１Ｂに示すように、第一固定端子４に第一押さえ板２２を固定でき、かつ第一押さえ板２２で第一接続端子８を第一固定端子４に向けて押さえつけることができる。これにより、第一接続端子８と第一固定端子４とを電気的に接続できる。
【００６０】
一方、第一接続端子８を、第一固定端子４に電気的に接続する場合と同様にして、第二固定端子５に電気的に接続しようとしても、第一識別部２０は、第二被識別部１７とは嵌まり合わないため、第一固定部１０の移動を阻害する。すなわち、第一識別部２０は、第一固定部１０が第一接続端子８を介して第二固定端子５に重ねられかつ第二被結合部１６と第一結合部１８とがねじ締めされることを、許可しない。第一結束具３４が第一固定部１０の第一結合部１８を中心とする回転を規制するため、第一識別部２０と第二被識別部１７との位置が合ってしまって第一識別部２０が第二被識別部１７と嵌まり合ってしまう事態は、生じにくい。第一接続端子８を第一固定端子４及び第二固定端子５以外の固定端子３に電気的に接続しようとする場合も、同様に第一識別部２０は第一固定部１０の移動を阻害する。このため、第一接続端子８は、第一固定端子４に容易に電気的に接続できるが、それ以外の固定端子３には容易には電気的に接続できない。
【００６１】
第二接続端子９を端子台２の第二固定端子５に接続する場合には、第二ケーブル７をその第二接続端子９側の先端が第三方向Ｄ３とは反対方向を向くように配置する。第二固定部１１は、第二ケーブル７に対して第一方向Ｄ１側の、第二接続端子９には重ならない位置に配置する。この状態で第二接続端子９を、その貫通孔４８と第二被結合部１６とを位置合わせして、第二端子板４３に重ねる。続いて、第二固定部１１を第二接続端子９に重なる位置に移動させながら、第二結合部１９を第二被結合部１６にねじ込む。第二固定部１１は第二凹所４５と嵌まり合う形状を有するため、第二固定部１１を第二接続端子９に重なる位置に容易に移動させることができる。このとき、第二識別部２１は、第二被識別部１７と嵌まり合うため、第二固定部１１の移動を阻害しない。すなわち、第二識別部２１は、第二固定部１１が第二接続端子９を介して第二固定端子５に重ねられかつ第二被結合部１６と第二結合部１９とがねじ締めされることを、許可する。このとき、第二結束具３５が第二固定部１１の第二結合部１９を中心とする回転を規制するため、第二識別部２１と第二被識別部１７との位置が合わなくなって第二識別部２１が第二被識別部１７と嵌まり合わなくなる事態は、生じにくい。このようにして、図１Ａ及び図１Ｂに示すように、第二固定端子５に第二押さえ板２４を固定でき、かつ第二押さえ板２４で第二接続端子９を第二固定端子５に向けて押さえつけることができる。これにより、第二接続端子９と第二固定端子５とを電気的に接続できる。
【００６２】
一方、第二接続端子９を、第二固定端子５に電気的に接続する場合と同様にして、第一固定端子４に電気的に接続しようとしても、第二識別部２１は、第一被識別部１５と嵌まり合わないため、第二固定部１１の移動を阻害する。すなわち、第二識別部２１は、第二固定部１１が第二接続端子９を介して第一固定端子４に重ねられかつ第一被結合部１４と第二結合部１９とがねじ締めされることを、許可しない。第二結束具３５が第二固定部１１の第二結合部１９を中心とする回転を規制するため、第二識別部２１と第一被識別部１５との位置が合わってしまって第二識別部２１が第一被識別部１５と嵌まり合ってしまう事態は生じにくい。第二接続端子９を第一固定端子４及び第二固定端子５以外の固定端子３に電気的に接続しようとする場合も、同様に第二識別部２１は第二固定部１１の移動を阻害する。このため、第二接続端子９は、第二固定端子５に容易に電気的に接続できるが、それ以外の固定端子３には容易には電気的に接続できない。
【００６３】
同様に、第三接続端子５８も、第三ケーブル５７に対応する固定端子３には容易に電気的に接続できるが、それ以外の固定端子３には容易には電気的に接続できない。
【００６４】
このため、第一接続端子８、第二接続端子９、及び第三接続端子５８を端子台２に接続する場合に、誤接続が生じにくい。
【００６５】
上記説明では、固定端子３の数は三つであるが、固定端子３の数は二つ以上又は三つ以上であれば、特に制限はない。
【００６６】
上記説明では、被結合部１２が雌ねじを有し、第一結合部１８、第二結合部１９及び第三結合部６２の各々が雌ねじに対応する雄ねじを有する。しかし、逆に第一結合部１８、第二結合部１９及び第三結合部６２の各々が雌ねじを有し、被結合部１２が雌ねじに対応する雄ねじを有してもよい。具体的には、例えば被結合部１２は凹所３８の底面から第一方向Ｄ１に突出する円柱状の突起であってその側面に雄ねじを有してもよい。この場合、第一結合部１８は、例えば、第一押さえ板２２に回転可能に保持された、雄ねじに対応する雌ねじを有するナットであってよい。第二結合部１９及び第三結合部６２も同様のナットであってもよい。この場合でも、雄ねじと雌ねじをねじ締めすることで、第一固定部１０を第一固定端子４に、第二固定部１１を第二固定端子５に、第三固定部５９をそれに対応する固定端子３に、それぞれ固定することができる。
【００６７】
上記説明では、第一被識別部１５が突起であり、かつ第一識別部２０が突起と嵌まり合う孔であるが、第一識別部２０は突起と嵌まり合う凹部であってもよい。凹部は、例えば第一押さえ板２２の縁部にある切り欠き状の部分であってもよい。同様に、上記説明では、第二被識別部１７が突起であり、かつ第二識別部２１が突起と嵌まり合う孔であるが、第二識別部２１は突起と嵌まり合う凹部であってもよい。凹部は、例えば第二押さえ板２４の縁部にある切り欠き状の部分であってもよい。また、第一識別部２０が突起であり、かつ第一被識別部１５が突起と嵌まり合う孔又は凹部であってもよい。第二識別部２１が突起であり、かつ第二被識別部１７が突起と嵌まり合う孔又は凹部であってもよい。第三識別部６３及びこれに対応する被識別部１３についても同様である。これらの場合でも、上記説明と同様に誤接続を生じにくくできる。
【００６８】
上記説明では、被識別部１３の形状は全て同じであり、被識別部１３の被結合部１２に対する位置が固定端子３ごとに異なるが、被識別部１３の被結合部１２に対する位置は全て同じであり、被識別部１３の形状が固定端子３ごとに異なってもよい。具体的には、例えば第一被識別部１５が円柱状の突起、第二被識別部１７が四角柱状の突起であり、第一識別部２０が第一被識別部１５に合う丸孔、第二識別部２１が第二被識別部１７に合う四角孔であってもよい。また、被識別部１３の形状が固定端子３ごとに異なり、被識別部１３の被結合部１２に対する位置も固定端子３ごとに異なってもよい。これらの場合でも、上記説明と同様に誤接続を生じにくくできる。
【００６９】
接続装置１が備えるケーブル（すなわち、第一ケーブル６、第二ケーブル７及び第三ケーブル５７）の被覆４７の色は、ケーブルごとに異なっていてもよい。この場合、ケーブルを外観で容易に区別できる。また、接続装置１が備えるケーブルの被覆４７の色を、各ケーブルが属する電力供給系統などの系統ごとに異ならせてもよい。この場合、誤接続を更に生じにくくできる。また、ケーブルの被覆４７を観察することで、ケーブルの属する系統などを容易に確認できる。
【００７０】
２．接続ケーブル
本発明の実施形態に係る接続ケーブル６１について説明する。なお、本実施形態に係る接続ケーブル６１は、下記の説明のみに制限されず、必要に応じて種々の構成の追加、削除、置換といった設計変更が可能である。
【００７１】
接続ケーブル６１は、上記１項で説明した接続装置１における、第一ケーブル６、第一接続端子８、及び第一固定部１０を備える（特に図５を参照）。なお、接続装置１における第一ケーブル６、第二ケーブル７及び第三ケーブル５７という名称は、これらを区別して説明するための便宜上のものであり、これらの名称を交換することも可能である。そのため、接続ケーブル６１は上記１項の説明における第二ケーブル７、第二接続端子９、及び第二固定部１１を備える構造を有してもよく、第三ケーブル５７、第三接続端子５８、及び第三固定部５９を備える構造を有してもよい。
【００７２】
接続ケーブル６１はこのような構成を有するため、第一接続端子８を上記１項で説明した固定端子３に電気的に接続しようとする場合、第一固定端子４には容易に電気的に接続できるが、それ以外の固定端子３には容易には電気的に接続できない。そのため、誤接続を生じにくくできる。
【００７３】
３．電力変換装置
本発明の実施形態に係る電力変換装置について説明する。なお、本実施形態に係る電力変換装置は、下記の説明のみに制限されず、必要に応じて種々の構成の追加、削除、置換といった設計変更が可能である。
【００７４】
電力変換装置は、電力変換回路と、上記１項で説明した接続装置１における端子台２とを備える。端子台２における固定端子３のうち少なくとも一つは、電力変換回路の入力端と出力端のうち一方に電気的に接続されている。
【００７５】
電力変換回路は、入力端から入力された直流電力を交流電力に変換して、出力端から出力する回路である。なお、電力変換回路は、入力端から入力された交流電力を直流電力に変換して、出力端から出力する回路であってもよい。
【００７６】
電力変換回路と固定端子３とを電気的に繋ぐ配線は、例えば端子台２の内部に配されて、固定端子３の端子板３９と電気的に接続される。
【００７７】
この電力変換装置を用いると、例えば電力変換装置と太陽電池などの電源とを、上記２項で説明した接続ケーブル６１を介して、電気的に接続することができる。また、電力変換装置と電力を消費する装置とを、上記２項で説明した接続ケーブル６１を介して、電気的に接続することもできる。このとき、電力変換装置の端子台２に接続ケーブル６１を接続する場合の誤接続を生じにくくできる。
【符号の説明】
【００７８】
１  接続装置
２  端子台
３  固定端子
４  第一固定端子
５  第二固定端子
６  第一ケーブル
７  第二ケーブル
８  第一接続端子
９  第二接続端子
１０  第一固定部
１１  第二固定部
１２  被結合部
１３  被識別部
１４  第一被結合部
１５  第一被識別部
１６  第二被結合部
１７  第二被識別部
１８  第一結合部
１９  第二結合部
２０  第一識別部
２１  第二識別部
２２  第一押さえ板
２３  第一貫通孔
２４  第二押さえ板
２５  第二貫通孔
２６  第一頭部
２７  第一軸部
２８  第一抜け止め部
２９  第一小径部
３０  第二頭部
３１  第二軸部
３２  第二抜け止め部
３３  第二小径部
３４  第一結束具
３５  第二結束具
６１  接続ケーブル
【図１】
2018170256.tif 000003
【図２】
2018170256.tif 000004
【図３】
2018170256.tif 000005
【図４】
2018170256.tif 000006
【図５】
2018170256.tif 000007
【図６】
2018170256.tif 000008